(57)【要約】【課題】運搬用容器を利用する顧客に、その運搬用容器に入りきらない商品を入れるのに必要な数より多い数のレジ袋の提供を防止することが可能な商品管理装置を提供する。【解決手段】読取部１１が商品コードを取得すると、演算部１４は、その商品コードと関連づけられた体積を記憶部１２から取得する。また、読取部１１が運搬用商品コードを取得すると、その運搬用商品コードと関連づけられた容量を記憶部１２から取得する。その後、入力部１３が終了情報を受け付けると、演算部１４は、その容量および体積の合計をそれぞれ算出し、その体積の合計が容量の合計より小さいと、その体積の合計から容量の合計を差し引いた不足容量に見合った提供用容器の数を算出する。表示部１５は、その提供用容器の数を表示する。【選択図】図１
2007280037.tif 000002
【特許請求の範囲】
【請求項１】
商品を特定する商品コードと、該商品の体積と、を前記商品ごとに関連づけて記憶する商品記憶部と、
運搬用容器として用いられる運搬用商品を特定する運搬用商品コードと、該運搬用商品の容量と、を前記運搬用商品ごとに関連づけて記憶する容器記憶部と、
提供用容器の容量を記憶するレジ袋記憶部と、
決済が終了した旨の終了情報を受け付けると、該終了情報を出力する入力部と、
顧客が購入した商品を特定する商品コードと、前記顧客が購入した運搬用商品を特定する運搬用商品コードとを取得する取得部と、
前記取得部が取得した商品コードと関連づけられた体積を前記商品記憶部から取得し、かつ、前記取得部が取得した運搬用商品コードと関連づけられた容量を前記容器記憶部から取得し、その後、前記入力部から終了情報を受け付けると、該取得された容量および体積の合計をそれぞれ算出し、該体積の合計が該容量の合計より大きいか否かを判断し、該体積の合計が該容量の合計より大きいと判断すると、該体積の合計から該容量の合計を差し引いた不足容量に見合った前記提供用容器の数を、前記レジ袋記憶部が記憶した容量に基づいて算出する演算部と、
前記演算部が算出した提供用容器の数を表示する表示部と、を含む商品管理装置。
【請求項２】
商品を特定する商品コードと、該商品の体積と、を前記商品ごとに関連づけて記憶する商品記憶部と、
提供用容器の容量を記憶するレジ袋記憶部と、
決済が終了した旨の終了情報を受け付けると、該終了情報を出力する入力部と、
顧客が購入した商品を特定する商品コードおよび運搬用容器の容量を取得する取得部と、
前記取得部が取得した商品コードと関連づけられた体積を前記商品記憶部から取得し、その後、前記入力部から終了情報を受け付けると、前記取得された容量および体積の合計をそれぞれ算出し、該体積の合計が該容量の合計より大きいか否かを判断し、該体積の合計が該容量の合計より大きいと判断されると、該体積の合計から該容量の合計を差し引いた不足容量に見合った前記提供用容器の数を、前記レジ袋記憶部が記憶した容量に基づいて算出する演算部と、
前記演算部が算出した提供用容器の数を表示する表示部と、を含む商品管理装置。
【請求項３】
請求項２に記載の商品管理装置において、
前記運搬用容器として用いられる運搬用商品を特定する運搬用商品コードと、該運搬用商品の容量と、を前記運搬用商品ごとに関連づけて記憶する容器記憶部をさらに含み、
前記取得部は、前記顧客が購入した運搬用商品を特定する運搬用商品コードをさらに取得し、
前記演算部は、前記取得部が取得した運搬用商品コードと関連づけられた容量を前記容器記憶部から取得し、その後、前記入力部から終了情報を受け付けると、前記取得された容量および体積の合計をそれぞれ算出する、商品管理装置。
【請求項４】
請求項１ないし３のいずれか１項に記載の商品管理装置において、
前記表示部は、前記演算部にて前記体積の合計が前記容量の合計より小さいと判断されると、前記提供用容器の提供が不要の旨の不要情報を表示する、商品管理装置。
【請求項５】
商品を特定する商品コードと該商品の体積とを前記商品ごとに関連づけて記憶する商品記憶部と、運搬用容器として用いられる運搬用商品を特定する運搬用商品コードと該運搬用商品の容量とを前記運搬用商品ごとに関連づけて記憶する容器記憶部と、提供用容器の容量を記憶するレジ袋記憶部と、を含む商品管理装置が行う提供数算出方法であって、
顧客が購入した商品を特定する商品コードを取得する取得ステップと、
前記取得された商品コードと関連づけられた体積を前記商品記憶部から取得する商品取得ステップと、
前記顧客が購入した運搬用商品を特定する運搬用商品コードを取得する読取ステップと、
前記取得された運搬用商品コードと関連づけられた容量を前記容器記憶部から取得する容量取得ステップと、
決済が終了した旨の終了情報を受け付ける入力ステップと、
前記取得された容量および体積の合計をそれぞれ算出する算出ステップと、
前記体積の合計が容量の合計より大きいか否かを判断する判断ステップと、
前記体積の合計が前記容量の合計より大きいと判断されると、前記体積の合計から前記容量の合計を差し引いた不足容量に見合った前記提供用容器の数を、前記レジ袋記憶部が記憶した容量に基づいて算出する演算ステップと、
前記算出された提供用容器の数を表示する表示ステップと、を含む提供数算出方法。
【請求項６】
商品を特定する商品コードと該商品の体積とを前記商品ごとに関連づけて記憶する商品記憶部と、提供用容器の容量を記憶するレジ袋記憶部と、を含む商品管理装置が行う提供数算出方法であって、
顧客が購入した商品を特定する商品コードを取得する取得ステップと、
前記取得された商品コードと関連づけられた体積を前記商品記憶部から取得する体積取得ステップと、
運搬用容器の容量を取得する運搬容量取得ステップと、
決済が終了した旨の終了情報を受け付ける入力ステップと、
前記取得された容量および体積の合計をそれぞれ算出する算出ステップと、
前記体積の合計が前記容量の合計より大きいか否かを判断する判断ステップと、
前記体積の合計が前記容量の合計より大きいと判断されると、前記体積の合計から前記容量の合計を差し引いた不足容量に見合った前記提供用容器の数を、前記レジ袋記憶部が記憶した容量に基づいて算出する演算ステップと、
前記算出された提供用容器の数を表示する表示ステップと、を含む提供数算出方法。
【請求項７】
請求項６に記載の提供数算出方法において、
前記商品管理装置は、前記運搬用容器として用いられる運搬用商品を特定する運搬用商品コードと、該運搬用商品の容量と、を前記運搬用商品ごとに関連づけて記憶する容器記憶部をさらに含み、
前記運搬用商品コードを取得する取得ステップと、
前記取得された運搬用商品コードと関連づけられた容量を前記容器記憶部から取得する容量取得ステップと、をさらに含む提供数算出方法。
【請求項８】
請求項５ないし７のいずれか１項に記載の提供数算出方法において、
前記体積の合計が前記容量の合計より小さいと判断されると、前記提供用容器の提供が不要の旨の不要情報を表示する不要表示ステップをさらに含む提供数算出方法。
【発明の詳細な説明】
【技術分野】
【０００１】
本発明は、提供用容器の数を算出する商品管理装置および提供数算出方法に関する。
【背景技術】
【０００２】
現在、スーパーマーケットなどの店舗において、顧客が商品を購入すると、その商品を持ち運ぶための袋（以下では、レジ袋という）が顧客に提供されることが多い。
【０００３】
レジ袋の生産枚数は、日本全国で一年間当たり２８０億枚程度と、非常に多く、レジ袋の提供は、資源の無駄使い、レジ袋の焼却による地球温暖化、および、レジ袋のポイ捨てによる自然への悪影響などの様々な問題の原因となっている。
【０００４】
また、レジ袋を提供する店員が、購入された商品に見合った量のレジ袋の枚数を、正確に判断することは困難である。このため、店員は、購入された商品を入れるのに必要な数より多い数のレジ袋を顧客に提供することが多い。
【０００５】
特許文献１（特開平５−３２５０２５号公報）および特許文献２（特公平６−１０１０７５号公報）には、顧客が購入した商品に見合った数のレジ袋を提供する商品販売データ処理装置および売上登録装置が記載されている。これらの装置は、顧客が購入した商品の体積の和を算出し、その体積の和に応じたレジ袋の枚数を決定している。また、その枚数が表示される。
【０００６】
店員がその表示された枚数のレジ袋を顧客に提供することで、購入された商品を入れるのに必要な数より多い数のレジ袋の提供を防止することが可能になっている。
【特許文献１】特開平５−３２５０２５号公報
【特許文献２】特公平６−１０１０７５号公報
【発明の開示】
【発明が解決しようとする課題】
【０００７】
将来、レジ袋が有料になることが示唆されている。レジ袋が有料になると、買い物袋またはエコバックなどの運搬用容器を利用する顧客が増加すると予想される。このような顧客は、購入した商品を、運搬用容器に入れて持ち運ぶ。また、顧客は、購入した商品が運搬用容器に全て入らない場合、運搬用容器に入らなかった商品をレジ袋に入れる可能性が高い。
【０００８】
特許文献１および２に記載の装置では、顧客が運搬用容器を利用する場合に関する記載はない。このため、これらの装置では、顧客が運搬用容器を利用する場合、その買い物袋に入りきらない商品を入れるのに必要な数より多い数のレジ袋の枚数が表示されてしまう。
【０００９】
本発明の目的は、運搬用容器を利用する顧客に、その運搬用容器に入りきらない商品を入れるのに必要な数より多い数のレジ袋の提供を防止することが可能な商品管理装置および提供数算出方法を提供することである。
【課題を解決するための手段】
【００１０】
前記目的を達成するために、本発明の商品管理装置は、商品を特定する商品コードと、該商品の体積と、を前記商品ごとに関連づけて記憶する商品記憶部と、運搬用容器として用いられる運搬用商品を特定する運搬用商品コードと、該運搬用商品の容量と、を前記運搬用商品ごとに関連づけて記憶する容器記憶部と、提供用容器の容量を記憶するレジ袋記憶部と、決済が終了した旨の終了情報を受け付けると、該終了情報を出力する入力部と、顧客が購入した商品を特定する商品コードと、前記顧客が購入した運搬用商品を特定する運搬用商品コードとを取得する取得部と、前記取得部が取得した商品コードと関連づけられた体積を前記商品記憶部から取得し、かつ、前記取得部が取得した運搬用商品コードと関連づけられた容量を前記容器記憶部から取得し、その後、前記入力部から終了情報を受け付けると、該取得された容量および体積の合計をそれぞれ算出し、該体積の合計が該容量の合計より大きいか否かを判断し、該体積の合計が該容量の合計より大きいと判断すると、該体積の合計から該容量の合計を差し引いた不足容量に見合った前記提供用容器の数を、前記レジ袋記憶部が記憶した容量に基づいて算出する演算部と、前記演算部が算出した提供用容器の数を表示する表示部と、を含む。
【００１１】
また、本発明の提供数算出方法は、商品を特定する商品コードと該商品の体積とを前記商品ごとに関連づけて記憶する商品記憶部と、運搬用容器として用いられる運搬用商品を特定する運搬用商品コードと該運搬用商品の容量とを前記運搬用商品ごとに関連づけて記憶する容器記憶部と、提供用容器の容量を記憶するレジ袋記憶部と、を含む商品管理装置が行う提供数算出方法であって、顧客が購入した商品を特定する商品コードを取得する取得ステップと、前記取得された商品コードと関連づけられた体積を前記商品記憶部から取得する商品取得ステップと、前記顧客が購入した運搬用商品を特定する運搬用商品コードを取得する読取ステップと、前記取得された運搬用商品コードと関連づけられた容量を前記容器記憶部から取得する容量取得ステップと、決済が終了した旨の終了情報を受け付ける入力ステップと、前記取得された容量および体積の合計をそれぞれ算出する算出ステップと、前記体積の合計が容量の合計より大きいか否かを判断する判断ステップと、前記体積の合計が前記容量の合計より大きいと判断されると、前記体積の合計から前記容量の合計を差し引いた不足容量に見合った前記提供用容器の数を、前記レジ袋記憶部が記憶した容量に基づいて算出する演算ステップと、前記算出された提供用容器の数を表示する表示ステップと、を含む。
【００１２】
上記の発明によれば、顧客が購入した商品を特定する商品コードが取得されると、その商品コードにて特定される商品の体積が取得される。また、顧客が購入した運搬用商品を特定する運搬用商品コードを取得すると、その運搬用商品コードと関連づけられた容量が取得される。その後、終了情報が受け付けられると、取得された容量および体積の合計が算出され、その体積の合計が容量の合計より大きいと、体積の合計から容量の合計を差し引いた不足容量に見合った提供用容器の数が算出される。また、その提供用容器の数が表示される。
【００１３】
このため、提供用容器が、表示された数だけ顧客に提供されれば、運搬用容器を購入した顧客に、その運搬用容器に入りきらない商品の体積に見合った数の提供用容器を提供することが可能になる。
【００１４】
よって、運搬用容器を利用する顧客に、その運搬用容器に入りきらない商品を入れるのに必要な数より多い数のレジ袋の提供を防止することが可能になる。
【００１５】
また、本発明の商品管理装置は、商品を特定する商品コードと、該商品の体積と、を前記商品ごとに関連づけて記憶する商品記憶部と、提供用容器の容量を記憶するレジ袋記憶部と、決済が終了した旨の終了情報を受け付けると、該終了情報を出力する入力部と、顧客が購入した商品を特定する商品コードおよび運搬用容器の容量を取得する取得部と、前記取得部が取得した商品コードと関連づけられた体積を前記商品記憶部から取得し、その後、前記入力部から終了情報を受け付けると、前記取得された容量および体積の合計をそれぞれ算出し、該体積の合計が該容量の合計より大きいか否かを判断し、該体積の合計が該容量の合計より大きいと判断されると、該体積の合計から該容量の合計を差し引いた不足容量に見合った前記提供用容器の数を、前記レジ袋記憶部が記憶した容量に基づいて算出する演算部と、前記演算部が算出した提供用容器の数を表示する表示部と、を含む。
【００１６】
また、本発明の提供数算出方法は、商品を特定する商品コードと該商品の体積とを前記商品ごとに関連づけて記憶する商品記憶部と、提供用容器の容量を記憶するレジ袋記憶部と、を含む商品管理装置が行う提供数算出方法であって、顧客が購入した商品を特定する商品コードを取得する取得ステップと、前記取得された商品コードと関連づけられた体積を前記商品記憶部から取得する体積取得ステップと、運搬用容器の容量を取得する運搬容量取得ステップと、決済が終了した旨の終了情報を受け付ける入力ステップと、前記取得された容量および体積の合計をそれぞれ算出する算出ステップと、前記体積の合計が前記容量の合計より大きいか否かを判断する判断ステップと、前記体積の合計が前記容量の合計より大きいと判断されると、前記体積の合計から前記容量の合計を差し引いた不足容量に見合った前記提供用容器の数を、前記レジ袋記憶部が記憶した容量に基づいて算出する演算ステップと、前記算出された提供用容器の数を表示する表示ステップと、を含む。
【００１７】
上記の発明によれば、顧客が購入した商品を特定する商品コードが取得されると、その商品コードにて特定される商品の体積が取得される。また、運搬用容器の容量が取得される。その後、終了情報が受け付けられると、取得された容量および体積の合計が算出され、その体積の合計が容量の合計より大きいと、体積の合計から容量の合計を差し引いた不足容量に見合った提供用容器の数が算出される。また、その提供用容器の数が表示される。
【００１８】
このため、顧客が持参した運搬用容器の容量が取得され、その後、提供用容器が、表示された数だけ顧客に提供されれば、その運搬用容器に入りきらない商品の体積に見合った数の提供用容器を、顧客に提供することが可能になる。
【００１９】
よって、運搬用容器を利用する顧客に、その運搬用容器に入りきらない商品を入れるのに必要な数より多い数のレジ袋の提供を防止することが可能になる。
【００２０】
また、前記運搬用容器として用いられる運搬用商品を特定する運搬用商品コードと、該運搬用商品の容量と、を前記運搬用商品ごとに関連づけて記憶する容器記憶部をさらに含み、前記取得部は、前記顧客が購入した運搬用商品を特定する運搬用商品コードをさらに取得し、前記演算部は、前記取得部が取得した運搬用商品コードと関連づけられた容量を前記容器記憶部から取得し、その後、前記入力部から終了情報を受け付けると、前記取得された容量および体積の合計をそれぞれ算出することが望ましい。
【００２１】
上記の発明によれば、顧客が購入した運搬用商品を特定する運搬用商品コードがさらに取得されると、その運搬用商品コードと関連づけられた容量が取得される。また、取得された容量および体積の合計がそれぞれ算出される。
【００２２】
このため、運搬用容器が顧客に購入され、かつ、顧客に持参されても、その購入された運搬用容器と、その持参された運搬用容器との両方に入りきらない商品の体積に見合った数の提供用容器を、顧客に提供することが可能になる。よって、運搬用容器を利用する顧客に、その運搬用容器に入りきらない商品を入れるのに必要な数より多い数のレジ袋の提供を防止することが可能になる。
【００２３】
また、前記表示部は、前記演算部にて前記体積の合計が前記容量の合計より小さいと判断されると、前記提供用容器の提供が不要の旨の不要情報を表示することが望ましい。
【００２４】
上記の発明によれば、購入された商品が全て運搬用容器に入る場合、店員は、不要情報を見ることで、提供用容器の提供が不要であることを確認することが可能になる。
【発明の効果】
【００２５】
本発明によれば、運搬用容器を利用する顧客に、その運搬用容器に入りきらない商品を入れるのに必要な数より多い数のレジ袋の提供を防止することが可能になる。
【発明を実施するための最良の形態】
【００２６】
以下、本発明の実施例について図面を参照して説明する。
【００２７】
図１は、本発明の一実施例の商品管理装置の構成を示したブロック図である。
【００２８】
図１において、商品管理装置１０は、読取部１１と、記憶部１２と、入力部１３と、演算部１４と、表示部１５とを含む。
【００２９】
また、商品管理装置１０は、情報記録媒体１および２に記録された各種情報を取得する。
【００３０】
情報記録媒体１は、運搬用容器として用いられる運搬用商品を特定する運搬用商品コード、または、運搬用容器として用いることができない商品を特定する商品コードを記録する。運搬用容器は、例えば、エコバックなどの買い物袋である。なお、情報記録媒体１は、その運搬用商品または商品に付属される。
【００３１】
情報記録媒体２は、顧客にて持参された運搬用容器の容量を記録する。なお、情報記録媒体２は、例えば、運搬用容器、または、店舗のサービスカードなどに付属される。
【００３２】
また、情報記録媒体１および２は、例えば、２次元または３次元バーコード、または、ＩＣタグ（ＲＦＩＤ）である。
【００３３】
読取部１１は、情報記録媒体１から、商品コードおよび運搬用商品コードを取得し、その商品コードおよび運搬用商品コードを演算部１４に出力する。また、読取部１１は、情報記録媒体２から、運搬用容器の容量を取得し、その容量を演算部１４に出力する。なお、読取部１１は、例えば、２次元または３次元バーコードリーダ、または、ＲＦＩＤリーダである。
【００３４】
記憶部１２は、商品記憶部１２ａと、袋記憶部１２ｂと、レジ袋記憶部１２ｃとを含む。
【００３５】
商品記憶部１２ａは、商品情報を記憶する。商品情報では、商品を特定する商品コードと、該商品の体積と、が商品コードごとに関連づけられている。なお、商品情報では、商品コードと、該商品コードにて特定される商品の価格と、該商品の寸法と、該商品の形状と、が商品ごとにさらに関連づけられても良い。
【００３６】
袋記憶部１２ｂは、袋情報を記憶する。袋情報では、運搬用容器として用いられる運搬用商品を特定する運搬用商品コードと、該運搬用容器の容量と、が運搬用商品ごとに関連づけられている。なお、袋情報では、運搬用商品コードと、該運搬用商品コードにて特定される運搬用商品の価格と、該運搬用商品の寸法と、該運搬用商品の形状と、が運搬用商品ごとにさらに関連づけられても良い。
【００３７】
レジ袋記憶部１２は、提供用容器の容量を記憶する。提供用容器とは、事業所（例えば、店舗）において、顧客が商品を購入した際に、その商品の運搬用に顧客に提供される容器である。提供用容器は、例えば、レジ袋である。
【００３８】
入力部１３は、店員から、決済が終了した旨の終了情報を受け付け、その終了情報を演算部１４に出力する。
【００３９】
演算部１４は、読取部１１から商品コードを受け付けると、その商品コードと関連づけられた体積を商品記憶部１２ａから取得する。
【００４０】
また、演算部１４は、読取部１１から運搬用商品コードを受け付けると、その運搬用商品コードと関連づけられた容量を袋記憶部１２ｂから取得する。
【００４１】
演算部１４は、入力部１３から終了情報を受け付けると、その容量および体積の合計をそれぞれ算出し、その体積の合計が容量の合計より大きいか否かを判断する。
【００４２】
その体積の合計が容量の合計より小さいと、演算部１４は、提供用容器の提供が不要と判断する。演算部１４は、提供用容器の提供が不要と判断すると、提供用容器の提供が不要の旨の不要情報を表示部１５に表示する。
【００４３】
一方、その体積の合計が容量の合計より大きいと、演算部１４は、提供用容器の提供が必要と判断する。演算部１４は、提供用容器の提供が必要と判断すると、その体積の合計から容量の合計を差し引いた不足容量に見合った提供用容器の提供枚数を、レジ袋記憶部１２ｃに記憶された提供用容器の容量に基づいて算出する。
【００４４】
具体的には、先ず、演算部１４は、その体積の合計から容量の合計を差し引いた不足容量を算出する。続いて、演算部１４は、レジ袋記憶部１２ｃに記憶された提供用容器の容量を確認する。演算部１４は、その提供用容器の容量に基づいて、その不足容量に見合った提供用容器の提供枚数を算出する。
【００４５】
演算部１４は、提供用容器の提供枚数を算出すると、その提供枚数を表示部１５に表示する。
【００４６】
次に動作を説明する。
【００４７】
図２は、商品管理装置の動作を説明するためのフローチャートである。
【００４８】
ステップＳ２０１では、演算部１４は、読取部１１から商品コードを受け付けたか否かを確認する。演算部１４は、商品コードを受け付けると、ステップＳ２０２を実行し、商品コードを受け付けないと、ステップＳ２０３を実行する。
【００４９】
ステップＳ２０２では、演算部１４は、その商品コードと関連づけられた体積を商品情報記憶部１２ａから取得し、その体積を保持する。演算部１４は、体積を保持すると、ステップＳ２０３を実行する
ステップＳ２０３では、演算部１４は、読取部１１から運搬用商品コードを受け付けたか否かを確認する。演算部１４は、運搬用商品コードを受け付けると、ステップＳ２０４を実行し、運搬用商品コードを受け付けないと、ステップＳ２０５を実行する。
【００５０】
ステップＳ２０４では、演算部１４は、その運搬用商品コードと関連づけられた容量を袋記憶部１２ｂから取得し、その容量を保持する。演算部１４は、容量を保持すると、ステップＳ２０５を実行する。
【００５１】
ステップＳ２０５では、演算部１４は、読取部１１から運搬用容器の容量を受け付けたか否かを確認する。演算部１４は、読取部１１からその容量を受け付けると、ステップＳ２０６を実行し、読取部１１からその容量を受け付けないと、ステップＳ２０７を実行する。
【００５２】
ステップＳ２０６では、演算部１４は、その容量を保持する。演算部１４は、その容量を保持すると、ステップＳ２０７を実行する。
【００５３】
ステップＳ２０７では、演算部１４は、入力部１３から終了情報を受け付けたか否かを確認する。演算部１４は、終了情報を受け付けると、ステップＳ２０８を実行し、終了情報を受け付けないと、ステップＳ２０１を実行する。
【００５４】
ステップＳ２０８では、演算部１４は、保持している体積および容量の合計をそれぞれ算出する。演算部１４は、その容量および体積の合計をそれぞれ算出すると、ステップＳ２０９を実行する。
【００５５】
ステップＳ２０９では、演算部１４は、その体積の合計が容量の合計より大きいか否かを判断する。演算部１４は、その体積の合計が容量の合計より小さいと、ステップＳ２１０を実行し、その体積の合計が容量の合計より大きいと、ステップＳ２１２を実行する。
【００５６】
ステップＳ２１０では、演算部１４は、提供用容器の提供が不要と判断する。演算部１４は、提供用容器の提供が不要と判断すると、ステップＳ２１１を実行する。
【００５７】
ステップＳ２１１では、演算部１４は、提供用容器の提供が不要の旨の不要情報を表示部１５に表示する。
【００５８】
ステップＳ２１２では、演算部１４は、提供用容器の提供が必要と判断する。演算部１４は、提供用容器の提供が必要と判断すると、ステップＳ２１３を実行する。
【００５９】
ステップＳ２１３では、演算部１４は、レジ袋記憶部１２ｃに記憶された提供用容器の容量に基づいて、その体積の合計から容量の合計を差し引いた不足容量に見合った提供用容器の数を算出する。演算部１４は、その提供用容器の数を算出すると、ステップＳ２１４を実行する。
【００６０】
ステップＳ２１４では、演算部１４は、その提供用容器の数を表示部１５に表示する。
【００６１】
本実施例によれば、読取部１１が商品コードを取得すると、演算部１４は、その商品コードと関連づけられた体積を商品記憶部１２ａから取得する。また、読取部１１が運搬用商品コードを取得すると、その運搬用商品コードと関連づけられた容量を袋記憶部１２ｂから取得する。
【００６２】
その後、入力部１３が終了情報を受け付けると、演算部１４は、取得した容量および体積の合計をそれぞれ算出し、その体積の合計が容量の合計より大きいか否かを判断する。演算部１３は、その体積の合計が容量の合計より小さいと判断すると、その体積の合計から容量の合計を差し引いた不足容量に見合った提供用容器の数を算出する。表示部１５は、その提供用容器の数を表示する。
【００６３】
この場合、提供用容器が、表示された数だけ顧客に提供されれば、運搬用容器を購入した顧客に、その運搬用容器に入りきらない商品の容量に見合った数の提供用容器を提供することが可能になる。
【００６４】
よって、運搬用容器を利用する顧客に、その運搬用容器に入りきらない商品を入れるのに必要な量より多い量のレジ袋の提供を防止することが可能になる。
【００６５】
また、本実施例では、読取部１１が商品コードを取得すると、演算部１４は、その商品コードと関連づけられた体積を商品記憶部１２ａから取得する。また、読取部１１が運搬用容器の容量を取得する。その後、入力部１３が終了情報を受け付けると、演算部１４は、その容量および体積の合計をそれぞれ算出する。
【００６６】
このため、顧客が持参した運搬用容器の容量が取得され、かつ、提供用容器が、表示された数だけ顧客に提供されれば、その運搬用容器に入りきらない商品の容量に見合った数の提供用容器を、顧客に提供することが可能になる。よって、運搬用容器を利用する顧客に、その運搬用容器に入りきらない商品を入れるのに必要な量より多い量のレジ袋の提供を防止することが可能になる。
【００６７】
また、本実施例では、演算部１４は、読取部１１から受け付けた容量と、袋記憶部１２ｂから取得した容量との合計を算出する。
【００６８】
このため、運搬用容器が購入され、かつ、顧客に持参されても、その購入された運搬用容器と、その持参された運搬用容器との両方に入りきらない商品の体積に見合った数の提供用容器を、顧客に提供することが可能になる。よって、運搬用容器を利用する顧客に、その運搬用容器に入りきらない商品を入れるのに必要な数より多い数のレジ袋の提供を防止することが可能になる。
【００６９】
また、演算部１４が、体積の合計が容量の合計より小さいと判断すると、提供等容器の提供が不要の旨を表示する。
【００７０】
このため、購入された商品が運搬用容器に入りきれる場合、店員は、不要情報を見ることで、提供用容器の提供が不要であることを確認することが可能になる。
【００７１】
以上説明した実施例において、図示した構成は単なる一例であって、本発明はその構成に限定されるものではない。
【００７２】
例えば、商品の体積は、情報記録媒体から取得しても良い。
【００７３】
この場合、情報記録媒体１は、商品コードと、該商品コードにて特定される商品の体積とを記録する。
【００７４】
読取部１１は、情報記録媒体１から、商品コードおよび体積を読み取ると、その商品コードおよび体積を演算部１４に出力する。演算部１４は、読取部１１から商品コードおよび体積を受け付けと、その体積を保持する。
【００７５】
また、顧客にて購入された運搬用商品の容量は、情報記録媒体から取得しても良い。
【００７６】
この場合、情報記録媒体１は、運搬用商品コードおよびその運搬用商品コードにて特定される運搬用商品の容量を記録する。
【００７７】
読取部１１は、情報記録媒体１から運搬用商品コードおよび容量を取得すると、その商品コードおよび容量を演算部１４に出力する。演算部１４は、読取部１１から商品コードおよび容量を受け付けると、その容量を保持する。
【００７８】
また、顧客にて持参された運搬用容器の容量は、商品管理装置が記憶してもよい。
【００７９】
この場合、情報記録媒体２は、運搬用容器を特定する容器コードを記憶する。また、袋記憶部１２ｂは、容器コードと、該容器コードにて特定される運搬用容器の容量を、容器コードごとに関連づけて記憶する。
【００８０】
読取部１１は、情報記録媒体２から容器コードを取得すると、その容器コードを演算部１４に出力する。演算部１４は、読取部１１から容器コードを受け付けると、その容器コードと袋記憶部１２ｂにて関連づけられた容量を取得し、その容量を保持する。
【図面の簡単な説明】
【００８１】
【図１】本発明の一実施例の商品管理装置の構成を示したブロック図である。
【図２】商品管理装置の動作の一例を説明するためのフローチャートである。
【符号の説明】
【００８２】
１        情報記録媒体
２        情報記録媒体
１０      商品管理装置
１１      読取部
１２      記憶部
１２ａ    商品記憶部
１２ｂ    袋記憶部
１２ｃ    レジ袋記憶部
１３      入力部
１４      演算部
１５      表示部
【図１】
2007280037.tif 000003
【図２】
2007280037.tif 000004